(57)【特許請求の範囲】
【請求項１】
エレベータカードア用の双安定の制限装置であって、
一次電源と、
放出部材と、
前記一次電源と電気通信する検出部材と、
ロック装置と、
前記一次電源のバックアップとして設けられた二次電源と、
を備え、
前記検出部材が、前記放出部材から信号を受信し、該信号に応答して前記ロック装置を作動し、
該ロック装置が、前記検出部材と接続され、かつ前記検出部材によって制御された作動に応答して、エレベータカードアをロックするロック位置と、エレベータカードアをロック解除するロック解除位置との間で選択的に移動するように構成され、
前記検出部材がエネルギー検出部材であり、前記放出部材がエネルギー放出部材であり、該信号が前記放出部材から放出されたエネルギーであり、
エレベータが建物の階にない場合に、放出されたエネルギーが遮断装置によって遮断され、
前記検出部材は、前記エネルギー放出部材によって放出されたエネルギーを検出すると、前記ロック装置をロック解除位置に作動させ、
前記二次電源が、前記検出部材と接続され、かつ前記一次電源が損失した場合には前記検出部材に電力供給を行い、
前記一次電源が損失し、かつ前記二次電源が損失した場合に、前記ロック装置が、前記二次電源の損失時に選択されたロックまたはロック解除位置に維持される、
双安定の制限装置。
【請求項２】
前記ロック装置が電気作動される、請求項１に記載の双安定の制限装置。
【請求項３】
前記ロック装置が前記一次電源と電気通信している、請求項２に記載の双安定の制限装置。
【請求項４】
前記ロック部材に動作可能に接続され、かつ前記一次電源に電気接続されるソレノイドをさらに備え、前記ソレノイドが、前記ロック装置をロック位置とロック解除位置との間で選択的に移動させ、前記ソレノイドが、前記検出部材に接続され、かつ前記検出部材によって制御される、請求項１に記載の双安定の制限装置。
【請求項５】
エレベータカードア用の双安定の制限装置であって、
一次電源と、
前記一次電源のバックアップとして設けられた二次電源と、
放出部材と、
前記一次電源および前記二次電源と電気通信する検出部材と、
ロック装置とを備え、
前記検出部材が、前記放出部材から信号を受信し、該信号に応答して前記ロック装置を作動し、
該ロック装置が、前記検出部材と接続され、かつ前記ロック装置を、前記検出部材によって制御された作動に応答して、エレベータカードアをロックするロック位置と、エレベータカードアをロック解除するロック解除位置との間で選択的に切り換えるように構成され、前記一次電源および前記二次電源が損失された場合に、前記ロック装置は、前記二次電源損失時に選択されたロック位置またはロック解除位置に維持され、
前記検出部材がエネルギー検出部材であり、前記放出部材がエネルギー放出部材であり、該信号が前記放出部材から放出されたエネルギーであり、
エレベータが建物の階にない場合に、放出されたエネルギーが遮断装置によって遮断され、
前記検出部材は、前記エネルギー放出部材によって放出されたエネルギーを検出すると、前記ロック装置をロック解除位置に作動する、双安定の制限装置。
【請求項６】
前記ロック装置が電気作動される、請求項５に記載の双安定の制限装置。
【請求項７】
前記ロック装置が、前記一次電源および前記二次電源と電気通信している、請求項６に記載の双安定の制限装置。
【請求項８】
前記ロック部材に動作可能に接続され、かつ前記一次電源および前記二次電源に電気接続されるソレノイドをさらに備えており、前記ソレノイドが、前記ロック装置をロック位置とロック解除位置との間で選択的に切り換え、前記ソレノイドは前記検出部材によって制御される、請求項５に記載の双安定の制限装置。
【請求項９】
エレベータカードアの開放を制御する方法であり、
ａ）一次電源に接続された検出部材を提供し、かつエレベータの位置に応答して、検出部材から信号を生成する工程と、
ｂ）検出部材により生成された信号で、エレベータカードア用のロック装置を選択的に制御する工程と、
ｃ）二次電源を提供し、かつ一次電源が損失された場合に検出部材へ電力供給を行うために、一次電源のバックアップとしての二次電源を動作させる工程と、
ｄ）ロック装置を、二次電源が損失された時に選択されていた位置に維持する工程とを含み、
前記検出部材がエネルギー検出部材であり、前記放出部材がエネルギー放出部材であり、該信号が前記放出部材から放出されたエネルギーであり、
エレベータが建物の階にない場合に、放出されたエネルギーが遮断装置によって遮断され、
前記検出部材は、エネルギー放出部材によって放出されたエネルギーを検出すると、前記ロック装置をアンロック位置に作動する、方法。
【発明の詳細な説明】
【技術分野】
【０００１】
本発明は、エレベータドア制限装置に関し、より詳細には、エレベータカーが、フロアまたは階に近くない限り、エレベータドアの開放を防止するシステムに関する。
【背景技術】
【０００２】
エレベータカーが、建物のフロアとフロアの間で停止された場合、カー内に閉じ込められた人物は、訓練された補助員が避難を促進するために到着するまで、停止したカー内に留まらなければならない。しかし、このような状況では、閉じ込められた人物の何人かが、避難をしようとエレベータドアを強制的に開こうとする場合が多い。特定の場合、例えば、停止したエレベータが階にはなくまたは階に近くない場合には、上述した状況は非常に危険である。このような状況では、閉じ込められた人達が、エレベータカーから階へ飛び降りるか、または階へよじ登ろうと試みる可能性がある。その結果、閉じ込められた人達が、昇降通路またはエレベータシャフト内に落ち、負傷してしまう結果が生じかねない。
【発明の開示】
【発明が解決しようとする課題】
【０００３】
このような事故は、エレベータカーが、建物のフロア階から離れている場所にある場合に、エレベータカーの内側からのエレベータカーの開放を防止する、効果的なドア制限装置システムによって回避できる。
【０００４】
上述したタイプの制限装置システムは、一般にラッチまたはロック部材を含むが、この部材は、概してエレベータカー内部からアクセスできず、エレベータドアの操作を行うためには引き込む必要がある。これらのシステムは、エレベータカーが階にあるまたは階に近い場合に、信号の生成が可能な感知手段と、生成された信号に反応してラッチまたはロック手段の引き込みを行う電気アクチュエータとを含む。
【０００５】
フロア感知手段は、エレベータカーに取り付けられ、かつエレベータ昇降通路内に取り付けられた接触部材との接触によって作動される電気スイッチであってよく、より詳細には、一般的にはエレベータ案内レールに取り付けられ、かつスイッチの移動経路に沿って配置されることができる。これらのタイプのスイッチは、磨耗から劣化し易く、かつ破損し易いため、連続的な検査と頻繁な交換が必要となる。
【０００６】
近年のドア制限装置システムは、建物内のフロア階に関連したエレベータカーの位置を検出するための光電センサを含む。赤外線放出装置および適切な検出装置が、カーに設けられており、昇降通路の壁のエレベータ案内レールに向けられている。エレベータカーが、階にあるまたは階に近い場合に、放出部材からの赤外線を反射するために、案内レールまたは昇降通路壁には赤外線反射部材が離間して配置されている。類似のシステムでは、フロア階を感知し、かつ関連するソレノイドの手段によって、エレベータドアをロック、または特定の場合においてロック解除する、光学センサおよび磁気センサを採用している。
【０００７】
これらのシステムは、電力がオフの場合、さらに関連するバックアップバッテリが切れた場合といった特定の状態に対応していないため、容認できないと考えられてきた。
【０００８】
従って、製造業者によっては、ロック状態に対応しない、またはロック解除状態に対応しない制限装置システムを構成していた。これら各システムは、場合によっては不適切な状態を結果として生じる。
【０００９】
電力が尽きた場合に、ロック状態またはロック解除状態のいずれかに維持されることができる、双安定のロックシステムを提供することが望ましい。
【課題を解決するための手段】
【００１０】
驚くべきことに、電力が尽きた場合にロック状態またはロック解除状態のいずれかに維持できる、本発明と両立しかつ一致する双安定のロックシステムが見出された。
【００１１】
好ましい実施形態では、本発明は、建物の階の存在を感知するするバッテリバック電子機器を利用している。このようなシステムは、たとえエレベータカーが移動を続けた場合でも、メカニズムを、正しい状態、つまりロックまたはロック解除のいずれかの状態に維持し続ける。一般に、電源故障の場合には、エレベータカーは、１０秒以内に移動を停止する。１０秒の期間が過ぎると、エレベータカーは、権限を与えられた人物が、現場で、物理的にブレーキを引き上げる、または降下弁を開く場合にのみしか、移動することができない。たとえバッテリバックアップが完全に放電された場合でも、メカニズムが、最終の状態（ロックまたはロック解除のいずれか）に維持され、かつ、権限を与えられた人物が、カーを移動するため、またはカードアを開放するための適切な処置を取るまで、エレベータカードアの開放を防止する。
【００１２】
エレベータカーが、エレベータカーの移動経路に沿った階のロック解除ゾーンとロック解除ゾーンとの間にある場合に、カー内の人物によるエレベータカードアの開放を防止するためのドア制限装置は、
一次電源と、
一次電源と電気通信する検出部材と、
エレベータカードアを選択的にロック及びロック解除するように構成された、作動されるロック装置とを備え、ロック装置の作動が、検出部材によって制御され、一次電源が損失された場合に、ロック装置が、一次電源の損失時に選択されていたロックまたはロック解除位置に維持される。
【００１３】
上述した、ならびに他の本発明の目的、特徴、利点は、添付の図面を参照した、本発明の好ましい実施形態の詳細な説明から理解されるであろう。
【発明を実施するための最良の形態】
【００１４】
次に図面、特に図１を参照すると、本発明の特徴を組み込んだドア制限装置システムの概略図を、参照符号１０で全体的に示している。ドア制限装置システム１０は、エレベータカー１４が、階付近のロック解除ゾーン内にある場合以外は、ドア１２の開放を防止するために、エレベータカー１４のドア１２を選択的にロックまたはロック解除することを容易にする。
【００１５】
ドア制限装置システム１０は、概してアクチュエータ１８と接続されたロック装置１６を含む。ロック装置１６は、任意の従来のロック装置、例えばバネ荷重ピン、電気または磁気装置、あるいは他の機械または電気機械装置であってよい。例えばソレノイドのような任意の従来型アクチュエータ１８を使用できることが理解される。一般に、アクチュエータ１８は電気動作されるが、本発明の範囲及び精神から逸脱しない限り、これ以外のタイプのアクチュエータ、例えば空気圧アクチュエータの使用も可能であることが理解される。図示の実施形態では、アクチュエータ１８は、一次電源２０と二次電源２２とに電気接続されている。二次電源２２は、一次電源２０に対するバックアップシステムとして機能し、さらに、例えばバッテリバックアップシステムまたは発電機バックアップシステムであることも可能である。一般に、一次電源は、エレベータが収容されている建物に供給される電力である。
【００１６】
アクチュエータ１８は、エネルギー検出部材２４から受信した信号によって制御される。エネルギー検出部材２４は、例えば、可視光エネルギー検出装置、赤外線検出装置、または磁気検出装置のような任意の従来の検出装置であってよい。エネルギー検出部材２４は、エネルギー放出部材２６からエネルギーを受け取りかつ検出する。エネルギー放出部材２６は、任意の従来の放出装置、例えば可視光エネルギー放出装置、赤外線放出装置、または磁気放出装置であってよい。本発明の範囲及び精神から逸脱しない限り、例えば、構造部材の有無を検出する、機械式検出装置のような他の検出部材を、使用することも可能であることを理解されたい。このような検出部材には、関連する放出部材を必要とするものもあり、しないものもある。図示の実施形態では、エネルギー検出部材２４は、エレベータカー１４に取り付けられており、また、エネルギー放出部材２６は、関連するエレベータ昇降通路のシャフト壁２８に取り付けられている。本発明の範囲及び精神から逸脱することなく、エネルギー検出部材２４は、シャフト壁２８に取り付けられてよく、エネルギー放出部材は、エレベータカー１４に取り付けられてよいことを理解されたい。エネルギー検出部材２４およびエネルギー放出部材２６は、一次電源２０および二次電源２２と電気接続されている。
【００１７】
動作時に、ドア制限装置システムにより、エレベータカードアの開放が、通常の自動動作によって、あるいは、エネルギー放出部材２６とエネルギー検出部材２４との間にエネルギー経路が確立される場合にのみ、エレベータカーの乗員によって可能にされる。通常の動作中、エレベータカー１４が、建物の階または建物のフロアにある際に、エネルギーが、エネルギー放出部材２６によって放出され、かつエネルギー検出部材２４によって検出される。そのため、図２に概略的に示されるように、信号がアクチュエータ１８へ送信され、ロック装置１６をロック解除位置にする。これにより、エレベータカー１４のドア１２は、自動または手動のいずれかによる開放が可能になる。エレベータカー１４が、建物の階にない場合には、遮断装置３０によってエネルギーが遮断される。遮断装置３０は、エネルギー放出部材２６によって放出されたエネルギーを遮断する、例えば羽根または突起部であってよい。エネルギーの放出を止めるように、エネルギー放出部材２６への電力供給を遮断するなど、放出されるエネルギーを遮断する他の方法を使用するが可能であると理解される。さらに、エネルギー検出部材２４からの信号が無い場合に、アクチュエータ１８によって、ロック装置をロック解除位置にすることができ、エレベータカー１４が階にある際に、放出されたエネルギーが遮断されることが理解される。
【００１８】
一次電源２０が、遮断されまたは損失されると、二次電源２２が、アクチュエータ１８、エネルギー検出部材２４、およびエネルギー放出部材２６に電力供給を行う。ドア制限装置システム１０は、通常動作においては、上述したとおりにまた図３に概略的に示すように動作する。一次電源２０が損失された場合、エレベータカーが動作不能となり、これにより、一次電源２０が損失された時点での位置に留まらせることに留意されたい。しかしながら、ドア制限装置システム１０は、二次電源２２からの電力によって動作を継続し、エレベータカー１４のドア１２を、エネルギー検出部材２４とアクチュエータ１８によって決められたロック状態またはロック解除状態に維持する。
【００１９】
二次電源２２が、損失されまたは遮断される可能性もある。それが生じ、かつエネルギー放出部材２４からの信号が損失された場合には、アクチュエータ１８が、ロック装置１６を、二次電源からの電力が損失された時点と同じ位置に維持し、またはこれを許容する。したがって、エレベータカー１４が建物の階にないために、ロック装置１６がロック位置にある場合には、ロック装置１６は、ロック位置に維持される。これとは反対に、エレベータカーが建物の階にあるために、ロック装置１６がロック解除位置にある場合には、ロック装置１６は、ロック解除位置に維持される。従って、ロック装置１６が、安全装置として、権限を与えられた従業員によって手動で変更されるまで、ロック状態またはロック解除位置のうちいずれか一方の望ましい位置に維持される。そのため、例えば、一次電源２０の損失によって、エレベータカー１４がフロア階ではない場所に停止された場合には、二次電源２２が作動され、ロック装置１６がロック状態に維持される。二次電源が損失された場合には、ロック装置１６はその時点の位置を維持し、また、権限を与えられた従業員によって手動でロック解除されるまで、エレベータカー１４のドア１２がロック位置に維持される。しかし、一次電源２０の損失によって、エレベータカー１４がフロア階に停止された場合には、二次電源２２が作動され、ロック装置１６が、ロック解除位置に維持される。二次電源が損失された場合には、ロック装置１６は、その時点での位置に維持され、エレベータカー１４のドア１２はロック解除位置に維持される。次に、ドア制限装置システム１０が動作可能な様々な状態を要約する。
【００２０】
１．通常動作（一次電源２０による動作）、図２に示すとおりにエネルギーが検出される。
２．一次電源２０が損失し、二次電源２２によって動作されている状態、図３に示すとおりにエネルギーが検出される。
３．一次電源２０が損失し、二次電源２２も損失した状態、ロック装置１６が、エネルギー検出部材２４とアクチュエータ１８によって決定されたように、電力損失前の最後の位置に維持される。
【００２１】
前出の記述から、当業者は、本発明の本質的な特徴を容易に確認することができ、また、本発明の精神及び範囲から逸脱せず、様々な用途及び条件に適合するように、本発明に様々な変更及び改良を加えることができる。
【図面の簡単な説明】
【００２２】
【図１】本発明の特徴を組み込んだドア制限装置システムを示す概略図である。
【図２】図１に示したドア制限装置システムのエネルギー検出部材の通常動作を示すフロー線図である。
【図３】図１に示したドア制限装置システムのエネルギー検出部材のバックアップ電力動作を示すフロー線図である。
【符号の説明】
【００２３】
１０  ドア制限装置システム
１２  ドア
１４  エレベータカー
１６  ロック装置
１８  アクチュエータ
２０  一次電源
２２  二次電源
２４  エネルギー検出部材
２６  エネルギー放出部材
２８  シャフト壁
【図１】
0005562511.tif 000002
【図２】
0005562511.tif 000003
【図３】
0005562511.tif 000004